(57)【要約】      （修正有）【課題】作業者が簡単に設置および運搬が可能な、仮設足場とベランダとの間を行き来するためのベランダ設置用梯子装置を提供する。【解決手段】建築物のベランダ１００と仮設足場２００との間を行き来するためのベランダ設置用梯子装置であって、ベランダ１００の床面１０１上に設置される梯子部１と、この梯子部１の上端部に一端が回動可能に軸着され、ベランダの手摺４上部の笠木上に載置される踏板部２と、踏板部２を手摺４に固定する固定手段とを備える。【選択図】図５
0003188928.tif 000002
【実用新案登録請求の範囲】
【請求項１】
建築物のベランダと仮設足場との間を行き来するためにベランダに設置する梯子であって、
ベランダの床面上に設置される梯子部と、
この梯子部の上端部に一端が回動可能に軸着され、ベランダの手摺上部の笠木上に載置される踏板部と、
この踏板部を前記手摺に固定する固定手段と
を備えたベランダ設置用梯子装置。
【請求項２】
前記固定手段が、踏板部の他端から下方に折曲した折曲片と、踏板部の下面に設けられかつ折曲片に向かって移動可能なＬ字形スライド板とを備え、
前記折曲片とＬ字形スライド板とで、手摺の笠木を挟持する請求項１に記載のベランダ設置用梯子装置。
【請求項３】
前記梯子部が２つに折り畳み可能に連結された上部梯子部と下部梯子部とからなる請求項１または２に記載のベランダ設置用梯子装置。
【請求項４】
前記梯子部がベランダの手摺の高さに合わせて高さ調整できるように梯子部の下端に伸縮装置を備える請求項１〜３のいずれかに記載のベランダ設置用梯子装置。
【考案の詳細な説明】
【技術分野】
【０００１】
本考案は、建築工事や補修工事において、ベランダとその外側に仮設された足場との間を、作業者が行き来するために用いるベランダ設置用梯子装置に関する。
【背景技術】
【０００２】
従来、マンションや集合住宅等の建築工事あるいは補修工事等において、建物の外壁面に沿った仮設足場と建物のベランダとを作業者が行き来する際に、例えばベランダ内に脚立を設置し、一般的には脚立の天板と仮設足場の足場板との間に踏み板を架設して、ベランダの手摺またはフェンス越しに作業通路を形成する。
しかしながら、単に脚立をベランダに立てただけでは固定が十分でなく、さらに脚立と踏み板間の連結強度、および踏み板と足場板間の連結強度にも十分な安定性を確保できなかった。
このため、作業者は不安定な踏み板上を通って仮設足場とベランダとの間を行来する必要があり、作業性や安全性に劣るという問題がある。
【０００３】
一方、特許文献１には仮設足場に取り付けられる梯子装置が提案されている。しかし、特許文献１の梯子装置は、梯子の上端を足場に固定するものであるため、マンションの各戸のベランダごとに梯子を移動させ固定するのは容易ではなく、そのため作業効率が悪いという問題がある。
【先行技術文献】
【特許文献】
【０００４】
【特許文献１】特開平９−１３７６００号公報
【考案の概要】
【考案が解決しようとする課題】
【０００５】
本考案の課題は、軽量で設置や持ち運びが容易であり、かつ安全に仮設足場とベランダとの間を行き来することができるベランダ設置用梯子装置を提供することを目的とする。
【課題を解決するための手段】
【０００６】
本考案者は、上記課題を解決すべく鋭意検討を重ねた結果、本考案を完成するに至った。すなわち、本考案のベランダ設置用梯子装置は以下の構成を有する。
（１）建築物のベランダと仮設足場との間を行き来するためにベランダに設置する梯子装置であって、ベランダの床面上に設置される梯子部と、この梯子部の上端部に一端が回動可能に軸着されベランダの手摺上部の笠木上に載置される踏板部と、この踏板部を前記手摺に固定する固定手段とを備えたベランダ設置用梯子装置。
（２）前記固定手段が、踏板部の他端から下方に折曲した折曲片と、踏板部の下面に設けられかつ折曲片に向かって移動可能なＬ字形スライド板とを備え、前記折曲片とＬ字形スライド板とで、手摺の笠木を挟持する（１）に記載のベランダ設置用梯子装置。
（３）前記梯子部が２つに折り畳み可能に連結された上部梯子部と下部梯子部とからなる（１）または（２）に記載のベランダ設置用梯子装置。
（４）前記梯子部がベランダの手摺の高さに合わせて高さ調整できるように梯子部の下端に伸縮装置を備える（１）〜（３）のいずれかに記載のベランダ設置用梯子装置。
【考案の効果】
【０００７】
本考案のベランダ設置用梯子装置は、軽量でコンパクトであるので、作業者が一人で設置や運搬を行うことができ、取り付けも簡単である。また、使用時には手摺上部の笠木に踏板部が固定手段によって固定されるので、仮設足場とベランダとの間を行き来する際の安全性も高いという効果がある。
【図面の簡単な説明】
【０００８】
【図１】（ａ）は本考案の一実施形態に係るベランダ設置用梯子装置の正面図であり、（ｂ）は背面図、（ｃ）は側面図である。
【図２】（ａ）（ｂ）は、それぞれ本考案の一実施形態に係る固定手段の動作を示す底面図である。
【図３】（ａ）〜（ｃ）は、上記実施形態に係る梯子装置を折り畳んだ状態からの展開する手順を示す側面図である。
【図４】（ａ）は上記実施形態に係る梯子装置を手摺上部の笠木に載置することを示す斜視図、（ｂ）は同笠木に載置した状態を示す斜視図である。
【図５】上記実施形態に係る梯子装置の使用形態の一例を示す側面図である。
【図６】梯子装置のベランダへの設置方法の一例を示す側面図である。
【考案を実施するための形態】
【０００９】
以下、本考案のベランダ設置用梯子装置について、図面を参照して説明する。この梯子装置は、主としてアパートやマンション等におけるベランダとその外側に設けられた仮設足場とを作業者が行き来するために使用される。
図１（ａ）〜（ｃ）に示す梯子装置は、梯子部１と、この梯子部１の上端に取り付けられた踏板部２とを備える。
【００１０】
＜梯子部＞
前記梯子部１は、左右の二本の縦木１３の間に複数の横木１２を所定間隔で固定し、上端に踏板部２を設け、下端がベランダの床面に設置される。作業者はベランダ床面から前記梯子部１を昇り、該梯子部１の上端に連結された踏板部２まで到達することができる。
【００１１】
前記梯子部１は、上部梯子部１ａと下部梯子部１ｂとからなり、ピン１０によって折り畳み可能に連結されている。これにより作業者が一人で持ち運びできるようになる。そして、上部梯子部１ａと下部梯子部１ｂとを展開した状態では、通常のベランダの手摺の高さを超えない長さに設定されている。展開した梯子部１の長さがベランダの手摺の高さを超えた場合には、ベランダの手摺上部の笠木上に載置される踏板部２が傾斜姿勢となるため、作業員の安全性を確保できなくなるおそれがある。一方、展開した梯子部１の長さがベランダの手摺の高さより低い場合は、次に述べる伸縮装置５によって梯子部１の長さ調整を行い、笠木上に載置した踏板部２がほぼ水平姿勢となるようにする。
【００１２】
上記のように、梯子部１は、左右の縦木１３の長さをベランダの手摺の高さに合わせて高さ調整できるように伸縮装置５を下部に有している。この伸縮装置５は、下部梯子部１ｂの縦木１３の下端部に収容され下端から下方に引き出し可能な伸縮脚５ａと、この伸縮脚５ａを任意な引き出し長さで固定するためのロック装置５ｂと、伸縮脚５ａの下端に装着された樹脂製の保護キャップ５ｃとを備える。
【００１３】
梯子部１は、図１（ｃ）に示すように、上部梯子部１ａと下部梯子部１ｂとを固定する梯子固定具１４を有する。
この梯子固定具１４は、二つの梯子固定具１４ａ、１４ｂのそれぞれの端部を回動自在なピンで連結してなる。一方の梯子固定具１４ｂの一端は下部梯子部１ｂにピンで軸着されており、他方の梯子固定具１４ａの一端には、上部梯子部１ａに設けられた突起１６(図３（ａ）を参照)に引掛けて固定する引掛部１５を有する。
【００１４】
また、梯子部１は左右の上部梯子部１ａの上端を繋ぐ紐１９を有する。足場の上に立つ作業者がこの紐１９を持って、片手で簡単にベランダへ梯子装置を下ろすことができる。この紐１９の取付位置は、重心を考慮して、紐１９を持って梯子装置を吊り下げたとき、バランスよく把持できる位置である。
【００１５】
＜踏板部＞
図１（ａ）〜（ｃ）に示すように、踏板部２は、両側部に側板部２１を有する断面略コ字状の部材であり、下面に手摺４の笠木４１に掛止するための固定手段３を有する。
【００１６】
踏板部２は、側板部２１の一端がピン１１にて梯子部１の縦木１３の上端部と回動可能に軸着される。また、側板部２１には少なくとも１つのバネボタン１７が設けてあり、梯子部１の上端に設けられた嵌入孔１８に嵌入して固定される。これにより、踏板部２は梯子部１に対して所定の角度を維持することができる。
踏板部２の他端は下方に折り曲げられ折曲片３１となる。
【００１７】
踏板部２は、図３および図５に示すように、使用時において、ピン１１によって軸着された梯子部１に対して所定の角度で開くことができる。この所定の角度とは、ベランダの床面に前記梯子部１を設置し、踏板部２がベランダの手摺４上部の笠木４１に載置したとき、踏板部２をほぼ水平に維持することができる角度である。
また、梯子装置を作業者が運搬する際には、前記踏板部２を梯子部１側へ折り畳んで持ち運びすることができる。
【００１８】
踏板部２は、作業者が足を滑らせないよう、表面に小さな凹凸を付けたり、ゴムマットや布等で覆ってもよい。踏板部２は、例えば３００×３００ｍｍの大きさを有するのが、安全性を確保するうえで好ましい。
【００１９】
＜固定手段＞
梯子部１の下面に設けられる固定手段３は、図２（ａ）に示すように、踏板部２の下面に平板３０が固定されており、この平板３０には踏板部２の一端から折曲片３１に向かってスリット３７が穿設されている。平板３０の下面には折曲片３１に向かって移動可能なＬ字形スライド板３２が配置される。すなわち、Ｌ字形スライド板３２は、前記スリット３７を挿通したボルト(図示せず)を有し、平板３０の裏面で図示しないナットと螺合しており、つまみ３６を回転させてＬ字形スライド板３２を移動させ任意の位置で固定できるようになっている。
【００２０】
Ｌ字形スライド板３２の立ち上がり片には、手摺の笠木４１に当接する圧接板３３を先端に設けたボルトが、スライド板３２の立ち上がり片に固定したナットと螺合しており、先端に設けたつまみ３５を回転操作することにより圧接板３３を自在に進退させることができる。
【００２１】
固定手段３は、Ｌ字形スライド板３２を折曲片３１に向かってスライドさせて、折曲片３１とＬ字形スライド板３２に付設した圧接板３３とでベランダ手摺４の笠木４１を挟持し、踏板部２を笠木４１上に固定するので、図５に示すように作業者４０は安全に仮設足場２００とベランダ１００との間を行き来することができる。
また、前記固定手段３は、移動可能なＬ字形スライド板３２と折曲片３１とにより、踏板部２を固定するので、様々な手摺４の幅にも広く対応できる。
【００２２】
＜梯子装置の展開＞
図３（ａ）〜（ｃ）は、ベランダ設置用梯子装置を折り畳んだ状態からの展開手順を示している。
【００２３】
図３（ａ）に示すように、梯子装置は、保管時や運搬時には、梯子部１および踏板部２は持ち運びしやすいように折り畳んだ状態である。この状態で、梯子装置を図３（ｂ）に示すように上部梯子部１ａと下部梯子部１ｂを展開させる。この時、下部梯子部１ｂに取り付けた梯子固定具１４ｂを回動させて上方へ起こし、前記梯子固定具１４ａに設けた引掛部１５を上部梯子部１ａの突起１６に引っ掛けて固定する。次に、図３（ｃ）に示すように、梯子部１の上端から前記踏板部２を起こす。この時、踏板部２の側板部２１に設けたバネボタン１７を、梯子部１の上端に設けた嵌入孔１８へ嵌入させて固定する。そして、梯子部１の長さがベランダの手摺４の高さより短い場合、梯子部１の縦木１３に設けた伸縮装置５を用いて縦木１３を延長すればよい。以上により、折り畳んだ状態からのベランダ設置用梯子装置の展開が完了する。
【００２４】
＜ベランダ設置用梯子装置の設置方法＞
展開した梯子装置を手摺４に固定する設置手順を以下に説明する。図４（ａ）は、梯子部１と踏板部２を展開した梯子装置を、ベランダの手摺４の笠木４１へ載置する前の状態を示している。この時、前記踏板部２の下面の固定手段３は、図２（ａ）に示すように、予めＬ字形スライド板３２と折曲片３１との間を笠木４１の幅より開いた状態にしておき、手摺４の笠木４１上に踏板部２を載置させる。
【００２５】
次に、図２（ｂ）に示すように、スリット３７に沿ってＬ字形スライド板３２をスライドさせ、当接板３３を介して笠木４１をＬ字形スライド板３２と折曲片３１との間で挟持し、つまみ３６、３５を回転させてＬ字形スライド板３２および当接板３３を固定する。この時、好ましくは、つまみ３６を回転させＬ字形スライド板３２を固定した後、つまみ３５を回転させて当接板３３を笠木４１に固定するのがよい。このようにして、図４（ｂ）に示すように、梯子装置は笠木４１に強固に固定される。
【００２６】
このようにして笠木４１に固定された梯子装置により、図５に示すように、作業者４０はベランダ１００と仮設足場２００の足場との間を自由かつ安全に行き来できるようになる。また、この梯子装置は軽量で、折り畳めば作業者が一人で簡単に持ち運びできるので、移動、設置および撤去が簡単である。
【００２７】
また、以上のように構成された本考案の梯子装置は、高さが１０８０〜１３８０ｍｍのベランダの手摺４に対応することができる。また、手摺４の笠木４１の幅は通常５０〜２００ｍｍの範囲で様々であるが、本考案の梯子装置はこのような幅の笠木４１にも対応することができる。
【００２８】
また、図６に示すように、作業者が足場側にいる場合、紐１９を用いて片手で簡単に梯子装置をベランダに下ろすことができる。従って、作業者は、足場の上からベランダへの移動を簡単にかつ安全に行うことができる。
【符号の説明】
【００２９】
１  梯子部
２  踏板部
３  固定手段
４  手摺
１０，１１  ピン
１２  横木
１３  縦木
１９  紐
３０  平板
３１  折曲片
３２  Ｌ字形スライド板
３３  圧接部
３５、３６  つまみ
３７  スリット
４１  笠木
１００  ベランダ
１０１  床面
２００  仮設足場
【図１】
0003188928.tif 000003
【図２】
0003188928.tif 000004
【図３】
0003188928.tif 000005
【図４】
0003188928.tif 000006
【図５】
0003188928.tif 000007
【図６】
0003188928.tif 000008